(57)【要約】【課題】薄い原稿に対しても厚みのある原稿に対しても原稿サイズを正確に検知することができる原稿サイズ検知装置を提供する。【解決手段】原稿載置台上に載置された原稿から画像を読み取るためのリニアイメージセンサ１０６と、原稿載置台の上面に原稿を押圧するための開閉可能な原稿押圧体と、原稿押圧体の所定の開角度を検出するための第一原稿押圧体検出手段と、原稿押圧体の閉状態を検出するための第二原稿押圧体検出手段と、リニアイメージセンサによる読み取り結果から原稿載置台上の原稿のサイズを検知する原稿サイズ検知センサ１１０と、原稿サイズ検知センサとは異なる手法により原稿載置台上の原稿のサイズを検知する光学台と、第二原稿押圧体検出手段による検出結果に応じて光学台を制御して光学台による検知結果に基づいて原稿載置台上の原稿のサイズを判定するＣＰＵ２０１とを有する。【選択図】      図２
2004266533.tif 000002
【特許請求の範囲】
【請求項１】
原稿載置台上に載置された原稿から画像を読み取るための画像読取手段と、
前記原稿載置台の上面に原稿を押圧するための開閉可能な原稿押圧体と、
前記原稿押圧体の所定の開角度を検出するための第一原稿押圧体検出手段と、
前記原稿押圧体の閉状態を検出するための第二原稿押圧体検出手段と、
前記画像読取手段による読み取り結果から前記原稿載置台上の原稿のサイズを検知する第一原稿サイズ検知手段と、
前記第一原稿サイズ検知手段とは異なる手法により前記原稿載置台上の原稿のサイズを検知する第二原稿サイズ検知手段と、
前記第二原稿押圧体検出手段による検出結果に応じて前記第二原稿サイズ検知手段を制御して前記第二原稿サイズ検知手段による検知結果に基づいて前記原稿載置台上の原稿のサイズを判定する原稿サイズ判定手段と
を有することを特徴とする原稿サイズ検知装置。
【発明の詳細な説明】
【０００１】
【発明の属する技術分野】
本発明は、デジタル複写機、スキャナ装置、ファクシミリ装置等で画像読取対象の原稿のサイズを検知するための原稿サイズ検知装置に関する。
【０００２】
【従来の技術】
従来、画像読取対象の原稿のサイズを検知する装置には多種多様な方式があるが、例えば、原稿の先端部を光源で照射し、前記原稿からの反射光をＣＣＤ（電荷結合素子）センサで読み取り、また、副走査方向に原稿サイズ検知センサを配置し、これら二つのセンサの読み取り結果に基づき原稿のサイズを検知するようにした原稿サイズ検知装置が知られている（例えば、特許文献１参照）。
【０００３】
このように主走査幅検知に対して原稿読み取り用のＣＣＤセンサを使用して原稿のサイズを検知することにより、原稿サイズ検知センサの設置数を少なくでき、低コストで且つ効率的な原稿サイズの検知が行える。
【０００４】
上記の方式では、原稿の地肌濃度や原稿を原稿載置台の上面に押圧するための開閉可能な原稿押圧体の表面色等の影響を受けてしまい、正確な原稿サイズ検知が行えない虞があるため、より正確な原稿サイズ検知を可能にした構成の原稿サイズ検知装置も知られている。
【０００５】
これは、例えば、前記原稿押圧体の開閉状態を認識すると共に、前記原稿押圧体が開いている状態と閉じた後の状態とで、ＣＣＤセンサによる読み取り結果を比較することで、原稿の地肌濃度等による影響を極力排除しつつ、その原稿のサイズ検知を精度良く行うことを可能にする方式である。
【０００６】
【特許文献１】
特開平５−２０７２３９号公報
【０００７】
【発明が解決しようとする課題】
ところが、従来の画像読取装置では、本や雑誌等の厚みのある原稿を読み取る場合には、以下のような問題があった。
【０００８】
本や雑誌等の厚みのある原稿が原稿載置台上に載置された場合、前記原稿押圧体が完全に閉じきらないために、前記原稿押圧体が閉じた後の状態として検知した検知結果が、前記原稿押圧体が開いている状態と同じになってしまう。
【０００９】
これにより、原稿が主走査方向の最大幅よりも小さい場合でも、主走査方向の原稿サイズを最大原稿サイズと検知してしまう場合がある。または、前記原稿押圧体が閉じた状態であることを検知できないために、原稿のサイズを検知できない場合もある。
【００１０】
本発明は、上述した従来の技術の有する問題点を解決するためになされたものであり、その目的は、薄い原稿に対しても厚みのある原稿に対しても原稿サイズを正確に検知することのできる原稿サイズ検知装置を提供することである。
【００１１】
【課題を解決するための手段】
上記目的を達成するために、本発明の原稿サイズ検知装置は、原稿載置台上に載置された原稿から画像を読み取るための画像読取手段と、前記原稿載置台の上面に原稿を押圧するための開閉可能な原稿押圧体と、前記原稿押圧体の所定の開角度を検出するための第一原稿押圧体検出手段と、前記原稿押圧体の閉状態を検出するための第二原稿押圧体検出手段と、前記画像読取手段による読み取り結果から前記原稿載置台上の原稿のサイズを検知する第一原稿サイズ検知手段と、前記第一原稿サイズ検知手段とは異なる手法により前記原稿載置台上の原稿のサイズを検知する第二原稿サイズ検知手段と、前記第二原稿押圧体検出手段による検出結果に応じて前記第二原稿サイズ検知手段を制御して前記第二原稿サイズ検知手段による検知結果に基づいて前記原稿載置台上の原稿のサイズを判定する原稿サイズ判定手段とを有することを特徴とする。
【００１２】
【発明の実施の形態】
以下、本発明の各実施の形態を、図面に基づき説明する。
【００１３】
（第１の実施の形態）
まず、本発明の第１の実施の形態について、図１乃至図７に基づき説明する。
【００１４】
図１は、本実施の形態に係る原稿サイズ検知装置を適用した画像読取装置の構成を示す模式的な側面図であり、同図に示す画像読取装置は、リニアイメージセンサを用い且つ自動原稿送り装置を備えた構成である。
【００１５】
図１において、１００は画像読取装置、１０１は原稿照明ランプ（光源）、１０２〜１０４はそれぞれ第１〜第３ミラー、１０５はレンズ、１０６はリニアイメージセンサ、１０７は透明ガラスから成る原稿載置台、１０８は原稿、１０９はシェーディング補正用の基準となる白色板、１１０は原稿１０８の副走査方向のサイズを検知するための原稿サイズ検知センサ（反射型センサ）である。１１１は自動原稿送り装置、１１２は自動原稿搬送ベルト、１１３は駆動ローラ、１１４は原稿束、１１５は原稿照明ランプ１０１と第１ミラー１０２とを収納した光学台である。
【００１６】
このような構成の画像読取装置１００においては、第１〜第３ミラー１０２〜１０４及び原稿照明ランプ１０１の光学系を図１の矢印Ｓ方向に移動することで、光学的なスキャン（副走査スキャン）を行い、原稿１０８を二次元的に読み取ることができる。
【００１７】
また、自動原稿送り装置１１１は、原稿束１１４の原稿を１枚ずつ画像読取装置１００の原稿載置台１０７上へ送る装置であり、駆動ローラ１１３で自動原稿搬送ベルト１１２を回転させることにより、原稿を所定方向へ搬送することができる。
【００１８】
自動原稿送り装置１１１を使用しない場合は、原稿を原稿載置台１０７上に載置するために自動原稿送り装置１１１を開閉し得るようになっている。この自動原稿送り装置１１１の開状態の所定角度を検知するための第１開閉センサ（図示省略）を備えている。この第１開閉センサは、自動原稿送り装置１１１の開角度が約３０°であることを検知するものである。また、自動原稿送り装置１１１の開閉状態を検知するための第２開閉センサ（図示省略）を備えている。この第２開閉センサは、自動原稿送り装置１１１の開角度が約５°以下である（閉じている状態である）ことを検知するものである。
【００１９】
また、原稿載置台１０７上に原稿１０８を載置した状態において、自動原稿送り装置１１１を閉じると、この自動原稿送り装置１１１により原稿１０８が原稿載置台１０７の上面に押圧されるようになっており、従って、自動原稿送り装置１１１は、原稿１０８を原稿載置台１０７の上面に押圧するための原稿押圧体を兼ねている
図２は、本実施の形態に係る原稿サイズ検知装置を適用した画像読取装置１００の要部構成を示すブロック図である。
【００２０】
図２において、２０１はＣＰＵ（中央演算処理装置）で、画像読取装置１００全体の制御を司るものである。２０２は増幅器で、リニアイメージセンサ１０６からの画像信号を増幅するものである。２０３はＡ／Ｄ変換器で、増幅器２０２からの画像信号をＡ／Ｄ変換するものである。２０４はシェーディング補正回路で、Ａ／Ｄ変換器２０３によってデジタル化された画像データに対してシェーディング補正処理を行うものである。２０５は画像加算回路で、シェーディング補正回路２０４によりシェーディング補正処理後の画像データを所定ライン数累積加算するものである。２０６は主走査加算平均回路で、主走査方向の画像を所定の領域について加算して平均化するものである。２０７は加算器、２０８は画像メモリ、２０９はモータで、光学台１１５を駆動するものである。
【００２１】
画像メモリ２０７は、ＣＰＵ２０１からアクセス可能であり、複数の所定領域の画像を所定ライン数分だけ記憶できる容量である。本実施の形態においては、後述する主走査方向５ポイントについて、１６ライン分の画像データを累積加算できる容量である。
【００２２】
尚、主走査加算平均回路２０６は、上記５ポイントの領域のそれぞれにおいて、主走査方向１２８画素の平均化を行う。
【００２３】
図３は、本実施の形態に係る原稿サイズ検知装置を適用した画像読取装置の原稿載置台１０７上における原稿サイズ判定に用いる検知ポイントを示す上面図であり、同図に示すように、原稿載置台１０７の所定位置には、原稿サイズラベル３０１，３０２及び原稿合わせマーク３０３が設けられている。
【００２４】
また、図３に示すように、原稿副走査方向サイズ検知のための原稿サイズ検知センサ１１０を図示の検知ポイント▲６▼に配置し、原稿主走査方向サイズ検知のために光学台１１５を原稿載置台１０７上の図示の位置に配置して複数の検知ポイント▲１▼〜▲５▼をリニアイメージセンサ１０６にて読み取り、原稿副走査方向サイズの検知結果と原稿主走査方向サイズの検知結果の両方によって、原稿１０８のサイズを判定する。
【００２５】
図４は、本実施の形態に係る原稿サイズ検知装置を適用した画像読取装置における原稿主走査方向サイズの検知結果と原稿副走査方向サイズの検知結果とに基づく原稿サイズ判定結果の一例を示す図である。
【００２６】
次に、本実施の形態に係る原稿サイズ検知装置を適用した画像読取装置における原稿サイズ検知処理動作について、図５〜図７を用いて説明する。
【００２７】
図５は、本実施の形態に係る原稿サイズ検知装置を適用した画像読取装置における原稿サイズ検知処理動作の流れを示すフローチャート、図６及び図７は、同原稿サイズ検知処理動作の説明図であり、図６は、第１原稿サイズ検知判定処理動作の説明図、図７は、第２原稿サイズ検知判定処理動作の説明図である。
【００２８】
まず、ステップＳ５０１で、原稿押圧体を兼ねる自動原稿送り装置１１１が開いているか否かを、第１開閉センサの検出結果を基に、開くまで判断する。そして、この第１開閉センサがＯＦＦになって自動原稿送り装置１１１が開いたと判断された場合は、次のステップＳ５０２へ進む。
【００２９】
ステップＳ５０２では、光学台１１５を原稿サイズ検知位置に移動する。本実施の形態では、ホームポジションより副走査方向に３０ｍｍの位置に光学台１１５を移動する。
【００３０】
次に、ステップＳ５０３で、第１開閉センサがＯＮ（原稿押圧体を兼ねる自動原稿送り装置１１１が閉じ途中）であるか否かを、ＯＮになるまで判断する。そして、第１開閉センサがＯＮであると判断された場合は、次のステップ５０４へ進む。
【００３１】
ステップＳ５０４では、原稿照明ランプ１０１を点灯する。次に、ステップＳ５０５で、原稿照明ランプ１０１を点灯させてから該点灯の安定時間５０ｍｓを経過した後、リニアイメージセンサ１０６からの読み取り画像による主走査方向の原稿サイズ検知動作と原稿サイズ検知センサ１１０による副走査方向の原稿サイズ検知動作とを開始する。
【００３２】
次に、ステップＳ５０６で、主走査方向５ポイント▲１▼〜▲５▼（図３参照）のそれぞれの画像読み取り結果により、所定の閾値によって白か黒かを判定し、また、副走査方向１ポイント▲６▼（図３参照）の検知結果により、白か黒かを判定する。ここで、主走査方向の５ポイントとは、定形原稿サイズに相当する位置を示すポイントである。
【００３３】
その後、ステップ５０７で、第１開閉センサがＯＮするか、または、原稿読み取り命令が発生するまで、主走査方向の原稿サイズ検知動作と副走査方向の原稿サイズ検知動作とを繰り返して行う。
【００３４】
次に、ステップＳ５０８で、第２開閉センサがＯＮ（原稿押圧体を兼ねる自動原稿送り装置１１１が閉じられた）か否かを判断する。そして、第２開閉センサがＯＦＦであると判断された場合はステップＳ５１２へ、また、ＯＮであると判断された場合はステップ５０９へ、それぞれ進む。
【００３５】
ステップＳ５０９では、第１原稿サイズ判定処理を行う。これは、前記ステップＳ５０６における６ポイントの白黒判定結果と、原稿押圧体を兼ねる自動原稿送り装置１１１が閉じられた状態での最終の白黒判定結果とを比較して、白黒に変化が無いポイントに対しては「原稿有り」と判定し、白黒に変化があるポイントに対しては「原稿無し」と判定する。
【００３６】
次に、ステップＳ５１０で、前記ステップ５０９における判定結果に応じて、図４に示すように原稿サイズを確定する。
【００３７】
その後、ステップＳ５１１で、原稿照明ランプ１０１を消灯し、光学台１１５をホームポジションに戻した後、原稿検知処理動作を終了する。
【００３８】
また、前記ステップ５０８において、第２開閉センサがＯＦＦで、原稿押圧体を兼ねる自動原稿送り装置１１１が閉じられていないと判断された場合は、ステップＳ５１２で、原稿読み取り命令が発生したか否かを判断する。そして、読み取り命令が発生しないと判断された場合は前記ステップ５０７へ、また、読み取り命令が発生したと判断された場合はステップＳ５１３へ、それぞれ進む。
【００３９】
ステップＳ５１３では、第２原稿サイズ判定処理を行う。これは、原稿押圧体を兼ねる自動原稿送り装置１１１が閉じられない状態での最終の白黒判定結果から、主走査方向の画像が原稿合わせ位置の方向を基準として白から黒に変化するポイントを探し、白のポイントに対して「原稿有り」と判定し、黒のポイントに対して「原稿無し」と判定する。
【００４０】
尚、白から黒に変化するポイントの後に、黒から白に変化するポイントがある場合は「原稿有り」と判定し、白から黒に変化するポイントが無い場合は原稿主走査方向サイズが「最大原稿サイズ」であると判断する。この原稿主走査方向サイズの判定結果と副走査方向サイズの検知結果とによって、最終的に原稿サイズを判定する。
【００４１】
その後、ステップ５１０で、前記ステップ５１３における判定結果に応じて、図４のように原稿サイズを確定し、次の原稿ステップＳ５１１で、照明ランプ１０１を消灯し、光学台１１５をホームポジションに戻した後、原稿検知処理動作を終了する。
【００４２】
次に、本実施の形態に係る原稿サイズ検知装置を適用した画像読取装置における第１原稿サイズ判定処理動作について、図６を用いて説明する。
【００４３】
ここでは、原稿載置台１０７上にＡ４Ｒサイズの原稿が載置された場合の例について説明する。
【００４４】
図６（ａ）は、原稿押圧体を兼ねる自動原稿送り装置１１１が閉じ途中の状態を示し、図６（ｂ）は、その状態（第１開閉センサがＯＮした状態）の原稿読み取りレベルを示す。主走査ポイント▲１▼▲２▼▲３▼まで原稿があるため、白レベルの画像読み取り結果となり、また、主走査ポイント▲４▼▲５▼は原稿が無いために、黒レベルの画像読み取り結果となる。所定の閾値と比較することによって、▲１▼▲２▼▲３▼は「白」と判定され、▲４▼▲５▼は「黒」と判定される。
【００４５】
図６（ｃ）は、原稿押圧体を兼ねる自動原稿送り装置１１１が閉じられた状態を示し、図６（ｄ）は、その状態（第１開閉センサがＯＮした状態）の原稿読み取りレベルを示す。主走査ポイント▲１▼▲２▼▲３▼▲４▼▲５▼全てが原稿と自動原稿送り装置１１１によって、白レベルの画像読み取り結果となり、所定の閾値と比較することによって、▲１▼▲２▼▲３▼▲４▼▲５▼は「白」と判定される。
【００４６】
図６（ｅ）は、原稿サイズ判定結果を示す。図６（ａ），（ｂ）による判定結果と図６（ｃ），（ｄ）による判定結果とを比較すると、▲１▼▲２▼▲３▼は「白」のまま変化せず、▲４▼▲５▼は「黒」から「白」に変化している。従って、▲１▼▲２▼▲３▼は「原稿有り」と判定され、▲４▼▲５▼は「原稿無し」と判定される。
【００４７】
この主走査方向の判定結果と副走査方向の原稿サイズ検知センサ１１０の検出結果とによって、最終的に原稿のサイズは「Ａ４Ｒ」サイズであると判定される。
【００４８】
次に、本実施の形態に係る原稿サイズ検知装置を適用した画像読取装置における第２原稿サイズ判定処理動作を、図７を用いて説明する。
【００４９】
ここでは、原稿載置台１０７上にＡ４Ｒサイズの原稿が載置された場合の例について説明する。
【００５０】
図７（ａ）は、原稿押圧体を兼ねる自動原稿送り装置１１１が閉じ途中の状態を示し、図７（ｂ）は、その状態（第１開閉センサがＯＮした状態）の原稿読み取りレベルを示す。主走査ポイント▲１▼▲２▼▲３▼まで原稿があるため、白レベルの画像読み取り結果となり、主走査ポイント▲４▼▲５▼は原稿が無いために、黒レベルの画像読み取り結果となる。所定の閾値と比較することによって、▲１▼▲２▼▲３▼は「白」と判定され、▲４▼▲５▼は「黒」と判定される。
【００５１】
図７（ｃ）は、原稿押圧体を兼ねる自動原稿送り装置１１１が閉じられずに読み取り命令が発生された状態を示し、図７（ｄ）は、その状態（第１開閉センサがＯＦＦの状態）の原稿読み取りレベルを示す。自動原稿送り装置１１１が閉じられていないため、画像読み取りレベルは図７（ａ），（ｂ）と同じ結果となる。
【００５２】
図７（ｅ），（ｆ）は、原稿サイズ判定結果を示す。図７（ｃ），（ｄ）による判定結果によって、主走査ポイント▲１▼▲２▼▲３▼▲４▼▲５▼に対して、「白」から「黒」への変化点（エッジ）を検出する。▲３▼と▲４▼との間で「白」から「黒」に変化しているため、▲１▼▲２▼▲３▼は「原稿有り」と判定され、▲４▼▲５▼は「原稿無し」と判定される。
【００５３】
この主走査方向の判定結果と副走査方向の原稿サイズ検知センサ１１０の検出結果とによって、最終的に原稿のサイズは「Ａ４Ｒ」サイズであると判定される。
【００５４】
（第２の実施の形態）
次に、本発明の第２の実施の形態を、図８に基づき説明する。
【００５５】
尚、本実施の形態に係る原稿サイズ検知装置を適用した画像読取装置の基本的な構成は、上述した第１実施の形態における図１乃至図３と同一であるから、必要に応じてこれら各図を流用して説明する。
【００５６】
上述した第１の実施の形態では、第２原稿サイズ判定処理の場合には、第１原稿サイズ判定処理を用いない原稿サイズ判定処理について説明したが、本実施の形態では、第１原稿サイズ判定処理の結果に応じて第２原稿サイズ判定処理を行うようにしたものである。
【００５７】
これによって、原稿押圧体を兼ねる自動原稿送り装置１１１が完全に閉じていなくとも、第１原稿サイズ判定処理によって原稿サイズの検知結果が出ていれば、それを優先させることが可能となる。
【００５８】
図８は、本実施の形態に係る原稿サイズ検知装置を適用した画像読取装置における原稿サイズ検知処理動作の流れを示すフローチャートであリ、同図を用いて、本実施の形態に係る原稿サイズ検知装置を適用した画像読取装置における原稿サイズ検知処理動作について説明する。
【００５９】
尚、上述した第１の実施の形態と重複する部分についての説明は省略する。
【００６０】
まず、ステップＳ８０１で、原稿押圧体を兼ねる自動原稿送り装置１１１が開いているか否かを、第１開閉センサの検出結果を基に、開くまで判断する。そして、この第１開閉センサがＯＦＦになって自動原稿送り装置１１１が開いたと判断された場合は、次のステップＳ８０２へ進む。
【００６１】
ステップＳ８０２では、光学台１１５を原稿サイズ検知位置に移動する。本実施の形態では、ホームポジションより副走査方向に３０ｍｍの位置に光学台１１５を移動する。
【００６２】
次に、ステップＳ８０３で、第１開閉センサがＯＮ（原稿押圧体を兼ねる自動原稿送り装置１１１が閉じ途中）であるか否かを、ＯＮになるまで判断する。そして、第１開閉センサがＯＮであると判断された場合は、次のステップ８０４へ進む。
【００６３】
ステップＳ８０４では、原稿照明ランプ１０１を点灯する。次に、ステップＳ８０５で、原稿照明ランプ１０１を点灯させてから該点灯の安定時間５０ｍｓを経過した後、リニアイメージセンサ１０６からの読み取り画像による主走査方向の原稿サイズ検知動作と原稿サイズ検知センサ１１０による副走査方向の原稿サイズ検知動作とを開始する。
【００６４】
次に、ステップＳ８０６で、主走査方向５ポイント▲１▼〜▲５▼（図３参照）のそれぞれの画像読み取り結果により、所定の閾値によって白か黒かを判定し、また、副走査方向１ポイント▲６▼（図３参照）の検知結果により、白か黒かを判定する。ここで、主走査方向の５ポイントとは、定形原稿サイズに相当する位置を示すポイントである。
【００６５】
その後、ステップ８０７で、第１開閉センサがＯＮするか、または、原稿読み取り命令が発生するまで、主走査方向の原稿サイズ検知動作と副走査方向の原稿サイズ検知動作とを繰り返して行う。
【００６６】
次に、ステップＳ８０８で、第２開閉センサがＯＮ（原稿押圧体を兼ねる自動原稿送り装置１１１が閉じられた）か否かを判断する。そして、第２開閉センサがＯＦＦであると判断された場合はステップＳ８１２へ、また、ＯＮであると判断された場合はステップ８０９へ、それぞれ進む。
【００６７】
ステップＳ８０９では、第１原稿サイズ判定処理を行う。これは、前記ステップＳ８０６における６ポイントの白黒判定結果と、原稿押圧体を兼ねる自動原稿送り装置１１１が閉じられた状態での最終の白黒判定結果とを比較して、白黒に変化が無いポイントに対しては「原稿有り」と判定し、白黒に変化があるポイントに対しては「原稿無し」と判定する。
【００６８】
次に、ステップＳ８１０で、前記ステップ８０９における判定結果に応じて、図４に示すように原稿サイズを確定する。
【００６９】
その後、ステップＳ８１１で、原稿照明ランプ１０１を消灯し、光学台１１５をホームポジションに戻した後、原稿検知処理動作を終了する。
【００７０】
また、前記ステップ８０８において、第２開閉センサがＯＦＦで、原稿押圧体を兼ねる自動原稿送り装置１１１が閉じられていないと判断された場合は、ステップＳ８１２で、原稿読み取り命令が発生したか否かを判断する。そして、読み取り命令が発生しないと判断された場合は前記ステップ８０７へ、また、読み取り命令が発生したと判断された場合はステップＳ８１３へ、それぞれ進む。
【００７１】
ステップＳ８１３では、第１原稿サイズ判定処理を行う。次に、ステップＳ８１４で、前記ステップＳ８１３における第１原稿サイズ判定処理結果について、主走査方向の原稿サイズが「最大原稿サイズ」であるか否かを判断する。そして、「最大原稿サイズ」であると判断された場合はステップＳ８１５へ、また、「最大原稿サイズ」ではないと判断された場合はステップＳ８１０へ、それぞれ進む。
【００７２】
ステップＳ８１５では、第２原稿サイズ判定処理を行う。これは、原稿押圧体を兼ねる自動原稿送り装置１１１が閉じられない状態での最終の白黒判定結果から、主走査方向の画像が原稿合わせ位置の方向を基準として白から黒に変化するポイントを探し、白のポイントに対して「原稿有り」と判定し、黒のポイントに対して「原稿無し」と判定する。
【００７３】
尚、白から黒に変化するポイントの後に、黒から白に変化するポイントがある場合は「原稿有り」と判定し、白から黒に変化するポイントが無い場合は原稿主走査方向サイズが「最大原稿サイズ」であると判断する。この原稿主走査方向サイズの判定結果と副走査方向サイズの検知結果とによって、最終的に原稿サイズを判定する。
【００７４】
その後、ステップ８１０で、前記ステップ８１５における第２原稿サイズ判定処理結果に応じて、図４のように原稿サイズを確定し、次の原稿ステップＳ８１１で、照明ランプ１０１を消灯し、光学台１１５をホームポジションに戻した後、原稿検知処理動作を終了する。
【００７５】
尚、本実施の形態では、主走査方向の検出ポイントを５ポイントとして説明したが、これに限定されるものではない。また、画像読み取りレベルを所定の閾値によって白黒に２値化してから判定を行う場合について説明したが、画像読み取りレベルをそのまま使用して原稿の有無を判定しても良い。また、原稿押圧体として自動原稿送り装置１１１を用いる構成について説明したが、原稿押圧体の閉じ途中を検出する閉じ途中センサと原稿押圧体の閉じ状態を検出する閉じセンサとの二つのセンサを持っていれば、原稿押圧体を単純な平板により構成しても良い。
【００７６】
また、本実施の形態では、イメージセンサにＣＣＤを用いる構成について説明したが、コンタクトイメージセンサ（ＣＩＳ）による構成でも同じ効果が得られる。
【００７７】
また、本実施の形態では、白黒のイメージセンサを用いる構成について説明したが、Ｒ，Ｇ，Ｂのカラーイメージセンサによる構成を採用しても良い。この場合は、第２原稿サイズ判定処理におけるエッジ検出処理をＲ，Ｇ，Ｂそれぞれについて行い且つそれぞれの検出結果の「ＡＮＤ」をとる（Ｒ，Ｂ，Ｇそれぞれのエッジ検出結果が一致すること）ことで、カラー原稿画像の色味に影響しない安定した検出結果が得られる効果がある。
【００７８】
（他の実施の形態）
本発明は、複数の機器（例えば、ホストコンピュータ、インターフェース機器、リーダー、プリンタ等）から構成されるシステムに適用しても、１つの機器からなる装置（例えば、複写機、ファクシミリ装置等）に適用しても良い。
【００７９】
また、上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００８０】
この場合、記憶媒体から読み出されたプログラムコード自体が上述した実施の形態の機能を実現することになり、そのプログラムコードを記憶した記憶媒体は本発明を構成することになる。
【００８１】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００８２】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれることは言うまでもない。
【００８３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００８４】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００８５】
本発明の実施態様の例を以下に列挙する。
【００８６】
［実施態様１］  原稿載置台上に載置された原稿から画像を読み取るための画像読取手段と、
前記原稿載置台の上面に原稿を押圧するための開閉可能な原稿押圧体と、
前記原稿押圧体の所定の開角度を検出するための第一原稿押圧体検出手段と、
前記原稿押圧体の閉状態を検出するための第二原稿押圧体検出手段と、
前記画像読取手段による読み取り結果から前記原稿載置台上の原稿のサイズを検知する第一原稿サイズ検知手段と、
前記第一原稿サイズ検知手段とは異なる手法により前記原稿載置台上の原稿のサイズを検知する第二原稿サイズ検知手段と、
前記第二原稿押圧体検出手段による検出結果に応じて前記第二原稿サイズ検知手段を制御して前記第二原稿サイズ検知手段による検知結果に基づいて前記原稿載置台上の原稿のサイズを判定する原稿サイズ判定手段と
を有することを特徴とする原稿サイズ検知装置。
【００８７】
［実施態様２］  前記第一原稿サイズ検知手段は、前記原稿押圧体の開状態における前記画像読取手段による第一読み取り結果の状態と前記原稿押圧体の閉状態における前記画像読取手段による第二読み取り結果の状態との変化点を認識して前記原稿載置台上の原稿のサイズを検知するものであり、
前記第二原稿サイズ検知手段は、前記画像読取手段による読み取り結果における画像濃度値の変化点を認識して前記原稿載置台上の原稿のサイズを検知するものであることを特徴とする実施態様１に記載の原稿サイズ検知装置。
【００８８】
［実施態様３］  前記第一原稿サイズ検知手段は、前記画像読取手段による読み取り画像濃度値に対して所定の閾値で二値化することで、白または黒の検知結果を得るものであり、
前記第二原稿サイズ検知手段は、前記画像読取手段による読み取り画像濃度値に対して所定の閾値と比較して画像の変化点を検出し、最も外側の変化点を原稿端と判定するものであることを特徴とする実施態様２に記載の原稿サイズ検知装置。
【００８９】
［実施態様４］  前記画像読取手段は、前記第一原稿押圧体検出手段によって前記原稿押圧体が閉じ途中であることを検出した場合に、前記第一原稿サイズ検知手段によって原稿サイズの検知動作を開始し、前記第二原稿押圧体検出手段によって前記原稿押圧体が閉じたことを検出した場合に、前記第一原稿サイズ検知手段によって原稿サイズの検知動作を終了し、前記原稿押圧体の開閉による画像読み取り結果の状態の変化点認識して前記原稿載置台上の原稿のサイズを検知することを特徴とする実施態様１に記載の原稿サイズ検知装置。
【００９０】
［実施態様５］  前記画像読取手段は、前記第一原稿押圧体検出手段によって前記原稿押圧体が閉じ途中であることを検出した場合に、前記第一原稿サイズ検知手段によって原稿サイズの検知動作を開始し、前記第二原稿押圧体検出手段によって前記原稿押圧体が閉じたことを検出しなかった場合に、前記第一原稿サイズ検知手段によって原稿サイズの検知動作を終了し、前記原稿押圧体の開閉による画像読み取り結果の状態の変化点認識して前記原稿載置台上の主走査方向の原稿サイズを最大原稿サイズと検知した場合に、前記第二原稿サイズ検知手段による原稿サイズの検知動作を行って、前記第二原稿サイズ検知手段の検知結果によって前記原稿載置台上の原稿のサイズを判定することを特徴とする実施態様１に記載の原稿サイズ検知装置。
【００９１】
［実施態様６］  前記第一原稿サイズ検知手段及び前記第二原稿サイズ検知手段は、少なくとも定型原稿のサイズを判定するために必要な複数の領域の画像を用いて原稿のサイズを検知することを特徴とする実施態様１に記載の原稿サイズ検知装置。
【００９２】
［実施態様７］  原稿載置台上に載置された原稿から画像を読み取るための画像読取手段と、
前記原稿載置台の上面に原稿を押圧するための開閉可能な原稿押圧体と、
前記原稿押圧体の所定の開角度を検出するための第一原稿押圧体検出手段と、
前記原稿押圧体の閉状態を検出するための第二原稿押圧体検出手段と、
前記画像読取手段による読み取り結果から前記原稿載置台上の原稿のサイズを検知する第一原稿サイズ検知手段と、
前記第一原稿サイズ検知手段とは異なる手法により前記原稿載置台上の原稿のサイズを検知する第二原稿サイズ検知手段と、
前記第一原稿押圧体検出手段によって前記原稿押圧体が閉じ途中であることを検出した場合に前記第一原稿サイズ検知手段によって原稿サイズの検知動作を開始し且つ前記第二原稿押圧体検出手段によって前記原稿押圧体が閉じたことを検出した場合には前記第一原稿サイズ検知手段によって原稿サイズの検知動作を終了し前記第一原稿サイズ検知手段による検知結果に基づいて前記原稿載置台上の原稿のサイズを判定し且つ前記第二原稿押圧体検出手段によって前記原稿押圧体が閉じたことを検出しなかった場合には前記第一原稿サイズ検知手段によって原稿サイズの検知動作を終了し前記第一原稿サイズ検知手段による検知結果が主走査方向に最大原稿サイズと検知した場合に前記第二原稿サイズ検知手段を制御して前記第二原稿サイズ検知手段による検知結果に基づいて前記原稿載置台上の原稿のサイズを判定する原稿サイズ判定手段と
を有することを特徴とする原稿サイズ検知装置。
【００９３】
［実施態様８］  前記第一原稿サイズ検知手段は、前記原稿押圧体の開状態における前記画像読取手段による第一読み取り結果の状態と前記原稿押圧体の閉状態における前記画像読取手段による第二読み取り結果の状態との変化点を認識して前記原稿載置台上の原稿のサイズを検知するものであり、
前記第二原稿サイズ検知手段は、前記画像読取手段による読み取り結果における画像濃度値の変化点を認識して前記原稿載置台上の原稿のサイズを検知するものであることを特徴とする実施態様７に記載の原稿サイズ検知装置。
【００９４】
［実施態様９］  前記第一原稿サイズ検知手段は、前記画像読取手段による読み取り画像濃度値に対して所定の閾値で二値化することで、白または黒の検知結果を得るものであり、
前記第二原稿サイズ検知手段は、前記画像読取手段による読み取り画像濃度値に対して所定の閾値と比較して画像の変化点を検出し、最も外側の変化点を原稿端と判定するものであることを特徴とする実施態様８に記載の原稿サイズ検知装置。
【００９５】
［実施態様１０］  前記第一原稿サイズ検知手段及び前記第二原稿サイズ検知手段は、少なくとも定型原稿のサイズを判定するために必要な複数の領域の画像を用いて原稿のサイズを検知することを特徴とする実施態様７に記載の原稿サイズ検知装置。
【００９６】
［実施態様１１］  原稿載置台上に載置された原稿から画像を読み取るための画像読取工程と、
前記原稿載置台の上面に原稿を押圧するための開閉可能な原稿押圧体の所定の開角度を検出するための第一原稿押圧体検出工程と、
前記原稿押圧体の閉状態を検出するための第二原稿押圧体検出工程と、
前記画像読取工程による読み取り結果から前記原稿載置台上の原稿のサイズを検知する第一原稿サイズ検知工程と、
前記第一原稿サイズ検知工程とは異なる手法により前記原稿載置台上の原稿のサイズを検知する第二原稿サイズ検知工程と、
前記第二原稿押圧体検出工程による検出結果に応じて前記第二原稿サイズ検知工程を制御して前記第二原稿サイズ検知工程による検知結果に基づいて前記原稿載置台上の原稿のサイズを判定する原稿サイズ判定工程と
を有することを特徴とする原稿サイズ検知方法。
【００９７】
［実施態様１２］  前記第一原稿サイズ検知工程は、前記原稿押圧体の開状態における前記画像読取工程による第一読み取り結果の状態と前記原稿押圧体の閉状態における前記画像読取工程による第二読み取り結果の状態との変化点を認識して前記原稿載置台上の原稿のサイズを検知するものであり、
前記第二原稿サイズ検知工程は、前記画像読取工程による読み取り結果における画像濃度値の変化点を認識して前記原稿載置台上の原稿のサイズを検知するものであることを特徴とする実施態様１１に記載の原稿サイズ検知方法。
【００９８】
［実施態様１３］  前記第一原稿サイズ検知工程は、前記画像読取工程による読み取り画像濃度値に対して所定の閾値で二値化することで、白または黒の検知結果を得るものであり、
前記第二原稿サイズ検知工程は、前記画像読取工程による読み取り画像濃度値に対して所定の閾値と比較して画像の変化点を検出し、最も外側の変化点を原稿端と判定するものであることを特徴とする実施態様１２に記載の原稿サイズ検知方法。
【００９９】
［実施態様１４］  前記画像読取工程は、前記第一原稿押圧体検出工程によって前記原稿押圧体が閉じ途中であることを検出した場合に、前記第一原稿サイズ検知工程によって原稿サイズの検知動作を開始し、前記第二原稿押圧体検出工程によって前記原稿押圧体が閉じたことを検出した場合に、前記第一原稿サイズ検知工程によって原稿サイズの検知動作を終了し、前記原稿押圧体の開閉による画像読み取り結果の状態の変化点認識して前記原稿載置台上の原稿のサイズを検知することを特徴とする実施態様１１に記載の原稿サイズ検知方法。
【０１００】
［実施態様１５］  前記画像読取工程は、前記第一原稿押圧体検出工程によって前記原稿押圧体が閉じ途中であることを検出した場合に、前記第一原稿サイズ検知工程によって原稿サイズの検知動作を開始し、前記第二原稿押圧体検出工程によって前記原稿押圧体が閉じたことを検出しなかった場合に、前記第一原稿サイズ検知工程によって原稿サイズの検知動作を終了し、前記原稿押圧体の開閉による画像読み取り結果の状態の変化点認識して前記原稿載置台上の主走査方向の原稿サイズを最大原稿サイズと検知した場合に、前記第二原稿サイズ検知工程による原稿サイズの検知動作を行って、前記第二原稿サイズ検知工程の検知結果によって前記原稿載置台上の原稿のサイズを判定することを特徴とする実施態様１１に記載の原稿サイズ検知方法。
【０１０１】
［実施態様１６］  前記第一原稿サイズ検知工程及び前記第二原稿サイズ検知工程は、少なくとも定型原稿のサイズを判定するために必要な複数の領域の画像を用いて原稿のサイズを検知することを特徴とする実施態様１１に記載の原稿サイズ検知方法。
【０１０２】
［実施態様１７］  原稿載置台上に載置された原稿から画像を読み取るための画像読取工程と、
前記原稿載置台の上面に原稿を押圧するための開閉可能な原稿押圧体の所定の開角度を検出するための第一原稿押圧体検出工程と、
前記原稿押圧体の閉状態を検出するための第二原稿押圧体検出工程と、
前記画像読取工程による読み取り結果から前記原稿載置台上の原稿のサイズを検知する第一原稿サイズ検知工程と、
前記第一原稿サイズ検知工程とは異なる手法により前記原稿載置台上の原稿のサイズを検知する第二原稿サイズ検知工程と、
前記第一原稿押圧体検出工程によって前記原稿押圧体が閉じ途中であることを検出した場合に前記第一原稿サイズ検知工程によって原稿サイズの検知動作を開始し且つ前記第二原稿押圧体検出工程によって前記原稿押圧体が閉じたことを検出した場合には前記第一原稿サイズ検知工程によって原稿サイズの検知動作を終了し前記第一原稿サイズ検知工程による検知結果に基づいて前記原稿載置台上の原稿のサイズを判定し且つ前記第二原稿押圧体検出工程によって前記原稿押圧体が閉じたことを検出しなかった場合には前記第一原稿サイズ検知工程によって原稿サイズの検知動作を終了し前記第一原稿サイズ検知工程による検知結果が主走査方向に最大原稿サイズと検知した場合に前記第二原稿サイズ検知工程を制御して前記第二原稿サイズ検知工程による検知結果に基づいて前記原稿載置台上の原稿のサイズを判定する原稿サイズ判定工程と
を有することを特徴とする原稿サイズ検知方法。
【０１０３】
［実施態様１８］  前記第一原稿サイズ検知工程は、前記原稿押圧体の開状態における前記画像読取工程による第一読み取り結果の状態と前記原稿押圧体の閉状態における前記画像読取工程による第二読み取り結果の状態との変化点を認識して前記原稿載置台上の原稿のサイズを検知するものであり、
前記第二原稿サイズ検知工程は、前記画像読取工程による読み取り結果における画像濃度値の変化点を認識して前記原稿載置台上の原稿のサイズを検知するものであることを特徴とする実施態様１７に記載の原稿サイズ検知方法。
【０１０４】
［実施態様１９］  前記第一原稿サイズ検知工程は、前記画像読取工程による読み取り画像濃度値に対して所定の閾値で二値化することで、白または黒の検知結果を得るものであり、
前記第二原稿サイズ検知工程は、前記画像読取工程による読み取り画像濃度値に対して所定の閾値と比較して画像の変化点を検出し、最も外側の変化点を原稿端と判定するものであることを特徴とする実施態様１８に記載の原稿サイズ検知方法。
【０１０５】
［実施態様２０］  前記第一原稿サイズ検知工程及び前記第二原稿サイズ検知工程は、少なくとも定型原稿のサイズを判定するために必要な複数の領域の画像を用いて原稿のサイズを検知することを特徴とする実施態様１７に記載の原稿サイズ検知方法。
【０１０６】
［実施態様２１］  実施態様１１乃至２０に記載の原稿サイズ検知方法が有する各工程をコンピュータに実行させるためのプログラムコードから成ることを特徴とする制御プログラム。
【０１０７】
［実施態様２２］  実施態様２１に記載の制御プログラムを格納したことを特徴とする記憶媒体。
【０１０８】
【発明の効果】
以上説明したように、本発明の原稿サイズ検知装置によれば、薄い原稿に対しても厚みのある原稿に対しても原稿サイズを正確に検知することができるという効果を奏する。
【図面の簡単な説明】
【図１】本発明の第１の実施の形態に係る原稿サイズ検知装置を適用した画像読取装置の構成を示す模式的な側面図である。
【図２】本発明の第１の実施の形態に係る原稿サイズ検知装置を適用した画像読取装置の要部構成を示すブロック図である。
【図３】本発明の第１の実施の形態に係る原稿サイズ検知装置を適用した画像読取装置の原稿載置台上における原稿サイズ判定に用いる検知ポイントを示す上面図である。
【図４】本発明の第１の実施の形態に係る原稿サイズ検知装置を適用した画像読取装置における主走査方向の検知結果と副走査方向の検知結果とによる原稿サイズ判定結果を示す説明図である。
【図５】本発明の第１の実施の形態に係る原稿サイズ検知装置を適用した画像読取装置における原稿サイズ検知処理動作の流れを示すフローチャートである。
【図６】本発明の第１の実施の形態に係る原稿サイズ検知装置を適用した画像読取装置における第１原稿サイズ検知判定処理動作の説明図である。
【図７】本発明の第１の実施の形態に係る原稿サイズ検知装置を適用した画像読取装置における第２原稿サイズ検知判定処理動作の説明図である。
【図８】本発明の第２の実施の形態に係る原稿サイズ検知装置を適用した画像読取装置における原稿サイズ検知処理動作の流れを示すフローチャートである。
【符号の説明】
１００    画像読取装置
１０１    原稿照明ランプ
１０２    第１ミラー
１０３    第２ミラー
１０４    第３ミラー
１０５    レンズ
１０６    リニアイメージセンサ
１０７    原稿載置台
１０８    原稿
１０９    白色板
１１０    原稿サイズ検知センサ
１１１    自動原稿送り装置
１１２    自動原稿送りベルト
１１３    駆動ローラ
１１４    原稿束
１１５    光学台
１１６    第１開閉センサ
１１７    第２開閉センサ
２０１    ＣＰＵ
２０２    ＡＭＰ（増幅器）
２０３    Ａ／Ｄ変換器器
２０４    シェーディング補正回路
２０５    画像加算回路
２０６    主走査加算平均回路
２０７    加算器
２０８    メモリ
２０９    モータ
３０１    原稿サイズラベル
３０２    原稿サイズラベル
３０３    原稿合わせマーク
【図１】
2004266533.tif 000003
【図２】
2004266533.tif 000004
【図３】
2004266533.tif 000005
【図４】
2004266533.tif 000006
【図５】
2004266533.tif 000007
【図６】
2004266533.tif 000008
【図７】
2004266533.tif 000009
【図８】
2004266533.tif 000010